(57)【要約】【課題】  複数の装飾体を見ばえを損なうことなく、なおかつ、容易に取り付けることを可能とする。【解決手段】  時刻を表示する時刻表示窓１３と、前記時刻表示窓１３が嵌め込まれる外装ケース１１とを有する腕時計１において、前記外装ケース１１の表面に、宝玉１７を受け入れる受入凹部２６を間隔をあけて複数形成すると共に、前記受入凹部２６の各々の略中心を通るように延びる中央溝２８と、前記中央溝２８を挟んで略平行に延び、前記受入凹部２６の各々の外周部を切り落とす一対の側溝２９と、前記受入凹部２６の外周外側で前記中央溝２８及び側溝２９と略直行するように延びる横断溝３２とを形成して、前記受入凹部２６に受入れられた前記宝玉１７を保持する保持爪３３を形成するようにした。【選択図】      図１９
2005323735.tif 000002
【特許請求の範囲】
【請求項１】
装身具本体の表面に装飾体が取り付けられた装身具において、
前記装身具本体の表面に、前記装飾体を受け入れる受入凹部を間隔をあけて複数形成すると共に、
前記受入凹部の各々の略中心を通るように延びる中央溝と、前記中央溝を挟んで略平行に延び、前記受入凹部の各々の外周部を切り落とす一対の側溝と、前記受入凹部の外周外側で前記中央溝及び側溝と略直行するように延びる横断溝とを形成して、前記受入凹部に受入れられた前記装飾体を保持する保持爪を形成するようにしたことを特徴とする装身具。
【請求項２】
前記中央溝は断面Ｕ字形状に形成されると共に、前記一対の側溝及び横断溝は、断面Ｖ字形状に形成されていることを特徴とする請求項１に記載の装身具。
【請求項３】
装身具への装飾体取付方法において、
前記装身具の装身具本体の表面に、前記装飾体を受け入れる受入凹部を間隔をあけて複数形成すると共に、
前記受入凹部の各々の略中心を通るように延びる中央溝と、前記中央溝を挟んで略平行に延び、前記受入凹部の各々の外周部を切り落とす一対の側溝と、前記受入凹部の外側で前記中央溝及び側溝と略直行するように延びる横断溝とを形成して保持爪を形成し、
前記保持爪を前記受入凹部に受入れられた前記装飾体に向けて折り曲げて、前記装飾体を保持することを特徴とする装身具への装飾体取付方法。
【請求項４】
時刻を表示する時刻表示部と、前記時刻表示部を嵌め込み可能な外装ケースとを有する時計において、
前記外装ケースの表面に、装飾体を受け入れる受入凹部を間隔をあけて複数形成すると共に、
前記受入凹部の各々の略中心を通るように延びる中央溝と、前記中央溝を挟んで略平行に延び、前記受入凹部の各々の外周部を切り落とす一対の側溝と、前記受入凹部の外周外側で前記中央溝及び側溝と略直行するように延びる横断溝とを形成して、前記受入凹部に受入れられた前記装飾体を保持する保持爪を形成するようにしたことを特徴とする時計。
【請求項５】
前記中央溝は断面Ｕ字形状に形成されると共に、前記一対の側溝及び横断溝は、断面Ｖ字形状に形成されていることを特徴とする請求項４に記載の時計。
【請求項６】
前記受入凹部は、前記時刻表示部の周りを囲むように間隔をあけて形成されていることを特徴とする請求項４または５に記載の時計。
【請求項７】
時刻を表示する時刻表示部と、前記時刻表示部を嵌め込み可能な外装ケースとを有する時計への装飾体取付方法において、
前記外装ケースの表面に、装飾体を受け入れる受入凹部を間隔をあけて複数形成すると共に、
前記受入凹部の各々の略中心を通るように延びる中央溝と、前記中央溝を挟んで略平行に延び、前記受入凹部の各々の外周部を切り落とす一対の側溝と、前記受入凹部の外側で前記中央溝及び側溝と略直行するように延びる横断溝とを形成して保持爪を形成し、
前記保持爪を前記受入凹部に受入れられた前記装飾体に向けて折り曲げて、前記装飾体を保持することを特徴とする時計への装飾体取付方法。
【発明の詳細な説明】
【技術分野】
【０００１】
本発明は、宝玉等の装飾体を装身具や時計等に取り付けるための技術に関する。
【背景技術】
【０００２】
従来から、腕時計として、時計ケースの表面に装飾体としての宝玉（宝石）を取り付け、意匠を向上させ、装身具としての価値をもたせたものが知られている（例えば、特許文献１参照）。この種の腕時計における宝玉の取付方法においては、特許文献１に示す取付方法の他にも次のような方法が知られている。すなわち、図２４に示すように、金型を用いた打ち抜き加工等により、時計ケース表面に上面視四角形の取付台座１００を形成した後、図２５に示すように、この取付台座１００に上記宝玉を受け入れる上面視円形の凹所１０１を形成する。このとき凹所１０１の開口径を、取付台座１００の４辺を切断する大きさに形成し、当該凹所１０１を形成することで、取付台座１００の４隅に保持爪１０２を形成する。そして、この保持爪１０２を、図２６に示すように、凹所１０１に配置された宝玉に向けて折り曲げて、当該宝石を取付固定する。
【特許文献１】特開２００３−２３０４１２号公報
【発明の開示】
【発明が解決しようとする課題】
【０００３】
しかしながら、取付台座１００をプレス形成する際に、当該取付台座１００の４隅が欠ける場合があり、この場合には、保持爪１０２を形成できなくなってしまうといった問題がある。また、時計ケース表面に形成された取付台座１００に宝玉を取り付ける構造とすると、取付台座１００の高さにより時計ケース表面から宝玉が突出してしまい、見ばえが悪るいという問題がある。さらに、凹所１０１を穿設した際に、保持爪１０２の間に、いわゆるカエリが発生することがあり、当該カエリを除去するための工程が必要となるといった問題がある。また、複数の宝玉を時計ケース表面に取り付ける際には、見ばえを良くするために上記取付台座１００の寸法をほぼ同一にする必要があるものの、そのような金型の制作には、コストがかかるといった問題もある。
【０００４】
本発明は、上述した事情に鑑みてなされたものであり、複数の装飾体を見ばえを損なうことなく、なおかつ、容易に取り付けることのできる装身具、装身具への装飾体取付方法、時計及び時計への装飾体取付方法を提供することを目的とする。
【課題を解決するための手段】
【０００５】
上記目的を達成するために、本発明は、装身具本体の表面に装飾体が取り付けられた装身具において、前記装身具本体の表面に、前記装飾体を受け入れる受入凹部を間隔をあけて複数形成すると共に、前記受入凹部の各々の略中心を通るように延びる中央溝と、前記中央溝を挟んで略平行に延び、前記受入凹部の各々の外周部を切り落とす一対の側溝と、前記受入凹部の外周外側で前記中央溝及び側溝と略直行するように延びる横断溝とを形成して、前記受入凹部に受入れられた前記装飾体を保持する保持爪を形成するようにしたことを特徴とする。
【０００６】
本発明によれば、受入凹部や保持爪の形成に金型を要しない構成としたため、製造コストを削減することができる。また、中央溝、側溝及び横断溝を形成することで保持爪を装身具本体の表面に切り出す構成としたため、保持爪を形成する際に受入凹部の周囲に、いわゆるカエリが発生するこがなく、当該カエリを除去する工程が不要となり、以って、装飾体の取り付けを容易とすることができる。さらにまた、受入凹部を装身具本体の表面に形成し、当該受入凹部に装飾体が受け入れられる構成としたため、装身具本体の表面から装飾体が突出することがなく、見ばえを向上させることが可能となる。
なお、上記発明において、前記中央溝は断面Ｕ字形状に形成されると共に、前記一対の側溝及び横断溝は、断面Ｖ字形状に形成されていることが望ましい。
【０００７】
また、上記目的を達成するために、本発明は、装身具への装飾体取付方法において、前記装身具の装身具本体の表面に、前記装飾体を受け入れる受入凹部を間隔をあけて複数形成すると共に、前記受入凹部の各々の略中心を通るように延びる中央溝と、前記中央溝を挟んで略平行に延び、前記受入凹部の各々の外周部を切り落とす一対の側溝と、前記受入凹部の外側で前記中央溝及び側溝と略直行するように延びる横断溝とを形成して保持爪を形成し、前記保持爪を前記受入凹部に受入れられた前記装飾体に向けて折り曲げて、前記装飾体を保持することを特徴とする。
【０００８】
また、上記目的を達成するために、本発明は、時刻を表示する時刻表示部と、前記時刻表示部を嵌め込み可能な外装ケースとを有する時計において、前記外装ケースの表面に、装飾体を受け入れる受入凹部を間隔をあけて複数形成すると共に、前記受入凹部の各々の略中心を通るように延びる中央溝と、前記中央溝を挟んで略平行に延び、前記受入凹部の各々の外周部を切り落とす一対の側溝と、前記受入凹部の外周外側で前記中央溝及び側溝と略直行するように延びる横断溝とを形成して、前記受入凹部に受入れられた前記装飾体を保持する保持爪を形成するようにしたことを特徴とする。
なお、この発明において、前記中央溝は断面Ｕ字形状に形成されると共に、前記一対の側溝及び横断溝は、断面Ｖ字形状に形成されていることが好ましい。
また、前記受入凹部は、前記時刻表示部の周りを囲むように間隔をあけて形成されていることも好ましい。
【０００９】
また、上記目的を達成するために、本発明は、時刻を表示する時刻表示部と、前記時刻表示部を嵌め込み可能な外装ケースとを有する時計への装飾体取付方法において、前記外装ケースの表面に、装飾体を受け入れる受入凹部を間隔をあけて複数形成すると共に、前記受入凹部の各々の略中心を通るように延びる中央溝と、前記中央溝を挟んで略平行に延び、前記受入凹部の各々の外周部を切り落とす一対の側溝と、前記受入凹部の外側で前記中央溝及び側溝と略直行するように延びる横断溝とを形成して保持爪を形成し、前記保持爪を前記受入凹部に受入れられた前記装飾体に向けて折り曲げて、前記装飾体を保持することを特徴とする。
【発明の効果】
【００１０】
本発明によれば、複数の装飾体を見ばえを損なうことなく、なおかつ、容易に取り付けることができる。
【発明を実施するための最良の形態】
【００１１】
以下図面を参照して、本発明の実施の形態について説明する。本実施の形態では、装身具の一例として、宝玉により装飾された腕時計について詳述する。
図１は、本実施の形態に係る腕時計１の外観構成を示す上面図である。この図に示すように、腕時計１は、時刻表示を行う時計本体１０と、この時計本体１０に連結されたバンド２０とを備えている。時計本体１０は、平面視概略円形に形成された外装ケース１１と、当該外装ケース１１の側面に設けられた竜頭１２と、外装ケース１１の上面に嵌め込まれたガラス材等の透明部材からなる時刻表示窓１３と、この時刻表示窓１３の下方に設けられた文字板１４と、時刻表示窓１３と文字板１４との間に配置され、時刻を指し示す指針１５とを備えている。また、この時計本体１０には、指針１５を駆動するための図示せぬムーブメントが文字板１４の背後に配置されていると共に、図示せぬ裏蓋が外装ケース１１の背面に取り付けられている。なお、同図には、腕時計１の一例として指針式の時計を例示したが、これに限らず、時刻をデジタル表示する時計であってもよい。
【００１２】
上記外装ケース１１の外周面において１２時方向及び６時方向には、２本のカン１６が形成され、これらのカン１６にバンド２０のエンドピース２１が図示せぬ連結ピンにより取り付けられる。なお、これらのカン１６の形状としては、図１に示す形状に限らず、例えば、屋根付きカン形状など他の形状を用いることもできる。
【００１３】
また、本実施の形態では、図１に示すように、外装ケース１１の上面に、装飾体としての微小な宝玉（宝石）１７が略一定間隔に配列するように取り付けられており、腕時計１の装飾性及び意匠を向上させる構成としている。以下、外装ケース１１への微小宝石１７の取付工程及び取付構造について詳述する。なお、装飾体としては、宝玉１７に限らず、ガラス玉等であっても良い。
【００１４】
上記外装ケース１１は、塑性加工用の金属や合金、或いは、ステンレススチール（ＳＳ）やチタン（Ｔｉ）等の比較的硬質な金属や合金で構成され、カン１６と共にプレス加工により、その外形が一体成形される。図２は、プレス加工された外装ケース１１の構成を示す上面図であり、図３は外装ケース１１の斜視図、図４は図２に示すＩ−Ｉ’線からみた断面図である。これらの図に示すように、当該プレス加工において、上記外装ケース１１の上面には、円環状の宝石取付部２３が形成されると共に、当該宝石取付部２３の内周に沿って宝石取付部２３よりも若干上方に突出したリブ２４が形成される。また、外装ケース１１はリブ２４の内周に沿ってくり抜かれ平面視略円形の収容部２５が形成される。上記収容部２５は、上記文字板１４やムーブメント等を収容するものである。図４に示すように、収容部２５の側面には、突出部２２が形成されており、収容部２５に嵌め込まれた時刻表示窓１３が突出部２２の上面２２ａに係止し、また、突出部２２の下面２２ｂには、文字板１４が係止することとなる。
【００１５】
上記プレス加工の後、図５乃至図８に示すように、宝石取付部２３には宝玉１７を受け入れる受入凹部２６が図示せぬ穿孔具等により穿設される。本実施の形態では、この受入凹部２６が宝石取付部２３の周方向に沿って略一定間隔で穿設され、結果として、上記時刻表示窓１３の周囲を宝玉１７が取り囲むようになされている。ここで、受入凹部２６は、図７に示すように、上部位置に宝玉１７の背面形状に合致した形状に形成された受座２６ａと、この受座２６ａの奥（図面下方）に形成された凹穴２６ｂとを備えており、受座２６ａにより、宝玉１７の取付姿勢を安定させることが可能となっている。かかる形状の受入凹部２６は、例えば２段階の穿孔加工或いは２段形状の穿孔具等を用いて形成される。なお、この受入凹部２６を穿設する工程においては、図６に示すように、竜頭１２を取り付け用の貫通孔２７も形成される。
【００１６】
上記のように、受入凹部２６を穿設した後、この受入凹部２６に受け入れられる宝玉１７を保持固定するための保持爪を形成すべく次のような加工を行う。すなわち、図９乃至図１２に示すように、先ず、受入凹部２６の各々の略中央を通って延びる断面Ｕ字状の中央溝２８を形成して、上記宝石取付部２３を内周側２３ａと外周側２３ｂとに２分する。このとき、受入凹部部２６の各々は、時刻表示窓１３の周囲を囲むように配列されているため、上記中央溝２８は、全体として円環状に宝石取付部２３の表面に形成されることになる。
【００１７】
次いで、図１３乃至図１６に示すように、上記中央溝２８を挟んで略平行に延び、各受入凹部２６の外周部を切り落とす断面Ｖ字形状の一対の側溝２９を宝石取付部２３の表面に形成する。この一対の側溝２９により、受入凹部２６の外周部には開口３０が形成され、この開口３０により、宝石取付部２３の内周側２３ａ及び外周側２３ｂには、図１６に示すように、受入凹部２６の各々の間に、切出部３１が形成される。ことのとき、一対の側溝２９は、全体として、互いに半径の異なる円環状に宝石取付部２３の表面に形成される。次に、図１７乃至図１９に示すように、各受入凹部２６の外周の外側に、上記中央溝２８及び一対の側溝２９の各々と略直行するように延びる横断溝３２を形成する。これにより、上記切出部３１が受入凹部２６の配列方向に２分され、各々の受入凹部２６の４隅に、保持爪３３が宝石取付部２３から切り出されることとなる。
【００１８】
このようにして保持爪３３を形成した後、図２０乃至図２２に示すように、受入凹部２６の各々に、宝玉１７を配置する。このとき、宝玉１７は、その背面が上記受座２６ａと係合し、安定した姿勢で受入凹部２６に配置される。そして、図２３に示すように、各々の保持爪３３を、宝玉１７に向けて折り曲げてかしめることで、当該宝玉１７が保持固定される。
【００１９】
なお、上記中央溝２８、側溝２９及び横断溝３２の各々の溝幅を大とすると、これらの溝によって切り出される保持爪３３の寸法が小さくなりすぎ、十分なかしめ強度が得られなくなる。さらに、受入凹部２６の外周部が切り落とされすぎて、当該受入凹部２６に宝玉１７を配置したときに、当該宝玉１７の姿勢が安定しなくなってしまう。また、各々の受入凹部２６の間、すなわち、宝玉１７間の肉厚が薄くなるため、外観が損なわれる。従って、これらの要件を踏まえ、上記中央溝２８、側溝２９及び横断溝３２の寸法を適切に定めることが望ましい。
【００２０】
以上説明したように、本実施の形態によれば、腕時計１の外装ケース１１の表面（詳細には、外装ケース１１の面上に形成された宝石取付部２３の表面）に、受入凹部２６を穿設すると共に、中央溝２８、側溝２９及び横断溝３２を形成して保持爪３３を形成する構成とし、受入凹部２６や保持爪３３の形成に金型を要しない構成としたため、製造コストを削減することができる。
また、中央溝２８、側溝２９及び横断溝３２を形成することで保持爪３３を外装ケース１１の表面に切り出す構成としたため、保持爪３３を形成する際に受入凹部２６の周囲に、いわゆるカエリが発生するこがなく、当該カエリを除去する工程が不要となり、宝玉１７の取り付けを容易とすることができる。
さらにまた、受入凹部２６を外装ケース１１の表面に穿設し、当該受入凹部２６に宝玉１７が受け入れられる構成としたため、外装ケース１１の表面から宝玉１７が突出するこがなく、見ばえを向上させることが可能となる。
また、受入凹部２６の各々に宝玉１７を取り付けた際に、各々の宝玉１７の高さや平行度を揃えることができ、このように、各々の宝玉１７を整然と配列することで、外観に高級感を出すことができる。
さらに、外装ケース１１に取り付ける宝玉１７の大きさを変える場合であっても、当該宝玉１７の寸法に合わせて受入凹部２６、中央溝２８、側溝２９及び横断溝３２の寸法を適宜変更するだけでよく、金型を用いる場合に較べ、宝玉１７の大きさの変更に伴う製造コストを削減することができる。
【００２１】
なお、上述した実施形態は、あくまでも本発明の一態様を示すものであり、本発明の範囲内で任意に変形可能である。例えば、上述した実施の形態では、装身具の一例として、腕時計１を例示したが、これに限らない。すなわち、複数の装飾体が取り付けられるものであれば、指輪、ネックレス、イヤリング、腕輪、頭飾りなどといった身飾品等にも本発明を適用することが可能である。
【図面の簡単な説明】
【００２２】
【図１】本発明の実施の形態に係る腕時計の外観構成を示す上面図である。
【図２】プレス成形された外装ケースの上面図である。
【図３】同外装ケースの斜視図である。
【図４】同外装ケースの断面図である。
【図５】受入凹部が穿設された外装ケースの上面図である。
【図６】同外装ケースの斜視図である。
【図７】同外装ケースの断面図である。
【図８】受入凹部の周辺を拡大して示す図である。
【図９】中央溝が形成された外装ケースの上面図である。
【図１０】同外装ケースの斜視図である。
【図１１】同外装ケースの断面図である。
【図１２】受入凹部の周辺を拡大して示す図である。
【図１３】一対の側溝が形成された外装ケースの上面図である。
【図１４】同外装ケースの斜視図である。
【図１５】同外装ケースの断面図である。
【図１６】受入凹部の周辺を拡大して示す図である。
【図１７】横断溝が形成された外装ケースの上面図である。
【図１８】同外装ケースの斜視図である。
【図１９】受入凹部の周辺を拡大して示す図である。
【図２０】受入凹部に宝玉が取り付けられた外装ケースの上面図である。
【図２１】同外装ケースの斜視図である。
【図２２】同外装ケースの断面図である。
【図２３】保持爪による宝玉の保持構造を示す図である。
【図２４】従来の宝玉の取付構造を説明するための図である。
【図２５】従来の宝玉の取付構造を説明するための図である。
【図２６】従来の宝玉の取付構造を説明するための図である。
【符号の説明】
【００２３】
１…腕時計、１０…時計本体、１１…外装ケース、１３…時刻表示窓、１７…宝玉、２６…受入凹部、２８…中央溝、２９…側溝、３２…横断溝、３３…保持爪。
【図１】
2005323735.tif 000003
【図２】
2005323735.tif 000004
【図３】
2005323735.tif 000005
【図４】
2005323735.tif 000006
【図５】
2005323735.tif 000007
【図６】
2005323735.tif 000008
【図７】
2005323735.tif 000009
【図８】
2005323735.tif 000010
【図９】
2005323735.tif 000011
【図１０】
2005323735.tif 000012
【図１１】
2005323735.tif 000013
【図１２】
2005323735.tif 000014
【図１３】
2005323735.tif 000015
【図１４】
2005323735.tif 000016
【図１５】
2005323735.tif 000017
【図１６】
2005323735.tif 000018
【図１７】
2005323735.tif 000019
【図１８】
2005323735.tif 000020
【図１９】
2005323735.tif 000021
【図２０】
2005323735.tif 000022
【図２１】
2005323735.tif 000023
【図２２】
2005323735.tif 000024
【図２３】
2005323735.tif 000025
【図２４】
2005323735.tif 000026
【図２５】
2005323735.tif 000027
【図２６】
2005323735.tif 000028